(57)【要約】【課題】  細いワイヤに対して、先端に膨出部を有する雄部材と、貫通部を有する弾性体からなる雌部材からなるタイプの連結具を接続する。【解決手段】  本発明は、ワイヤ２と、ワイヤ２の一端２１に設けた雌部材３と、前記ワイヤ２の他端２２に設けた雄部材４と、を有するワイヤ端部の連結具である。前記雌部材３は、貫通部７１を備えた弾性体７，７Ａを有する。前記雄部材４は、前記貫通部７１に係合する膨出部４４を有する。前記ワイヤ両端部２１，２２に断面楕円状の金属製チューブ６，６Ａが移動不能に固着されている。前記金属製チューブ６，６Ａが固着された前記ワイヤ両末端２１，２２が前記雌部材３及び雄部材４にそれぞれ収容されている。【選択図】図５
2018057718.tif 000002
【特許請求の範囲】
【請求項１】
ワイヤ（２，２Ｂ）と、このワイヤ（２，２Ｂ）の一端（２１，２１Ｂ）に設けた雌部材（３，３Ｂ）と、前記ワイヤ（２，２Ｂ）の他端（２２，２２Ｂ）に設けた雄部材（４，４Ｂ）と、を有するワイヤ端部の連結具であって、
前記雌部材（３，３Ｂ）は、貫通部（７１，７１Ｂ）を備えた弾性体（７，７Ｂ）を有し、
前記雄部材（４，４Ｂ）は、前記貫通部（７１，７１Ｂ）に係合する膨出部（４４，４４Ｂ）を有し、
前記ワイヤ両端部（２１，２２；２１Ｂ，２２Ｂ）に断面楕円状の金属製チューブ（６，６Ａ；６Ｂ，６Ｃ）が移動不能に固着されており、
前記金属製チューブ（６，６Ａ；６Ｂ，６Ｃ）が固着された前記ワイヤ両末端（２１，２２；２１Ｂ，２２Ｂ）が前記雌部材（３，３Ｂ）及び雄部材（４，４Ｂ）にそれぞれ収容されている
ことを特徴とするワイヤ端部の連結具。
【請求項２】
前記雌部材（３）の前記弾性体（７）が、はめ込み式の中栓（９）と前記雌部材（３）先端のフランジ（３８）の間に挟まれて、支持されている請求項１記載の連結具。
【請求項３】
前記ワイヤ（２，２Ｂ）に多数の数珠（１１，１１Ｂ）をはめて装飾品とした請求項１又は２記載の連結具。
【請求項４】
ワイヤ（２，２Ｂ）と、ワイヤ（２，２Ｂ）の一端（２１，２１Ｂ）に設けた雌部材（３，３Ｂ）と、前記ワイヤ（２，２Ｂ）の他端（２２，２２Ｂ）に設けた雄部材（４，４Ｂ）と、を有するワイヤ端部の連結具の製造方法であって、この方法は、
前記雌部材（３，３Ｂ）に、貫通部（７１，７１Ｂ）を備えた弾性体（７，７Ｂ）を設ける工程と、
前記雄部材（４，４Ｂ）に、前記貫通部（７１，７１Ｂ）に係合する膨出部（４４，４４Ｂ）を設ける工程と、
前記ワイヤ両端部（２１，２２；２１Ｂ，２２Ｂ）に断面楕円状の金属製チューブ（６，６Ａ；６Ｂ，６Ｃ）を移動不能に固定する工程と、
前記金属製チューブ（６，６Ａ；６Ｂ，６Ｃ）を有する前記ワイヤ両末端（２１，２２；２１Ｂ，２２Ｂ）を前記雌部材（３，３Ｂ）及び雄部材（４，４Ｂ）にそれぞれ収容する工程と、
を有することを特徴とするワイヤ端部の連結具の製造方法。
【請求項５】
前記雌部材（３）に前記弾性体（７）を設ける工程において、前記雌部材（３）の最先端にフランジ（３8）を形成することにより、弾性体（７）の抜け留めが行われる
ことを特徴とする請求項４記載の方法。
【請求項６】
前記雌部材（３Ｂ）に前記弾性体（７Ｂ）を設ける工程において、前記雌部材（３Ｂ）の最先端の薄壁（３６Ｂ）をならして平面化することにより、弾性体（７Ｂ）の抜け留めを形成する
ことを特徴とする請求項４記載の方法。
【発明の詳細な説明】
【技術分野】
【０００１】
本発明はワイヤ端部の連結具及びその製法に関する。
【背景技術】
【０００２】
ネックストラップやネックレス等の両端部を開閉する連結具は、さまざまなものが知られている。例えば、下記特許文献１（図１）、特許文献２（図５，６）、特許文献３（図１２）、特許文献４（図１〜３）には、断面が円形のストラップの両端部を開閉する連結具が示されている。
【０００３】
これらは、先端に膨出部を有する雄部材と、貫通部を有する弾性体からなる雌部材を各ストラップの先端に有する。連結するときは、雌雄部材を左右それぞれの手に持ち、真正面から突き合わせるようにして行い、分離するときは、その逆に引き裂くようにして行う。
【先行技術文献】
【特許文献】
【０００４】
【特許文献１】特開２００４−３４４４０４公報
【特許文献２】特開２００１−２７５７２５公報
【特許文献３】実用新案登録第３０６９８０１号公報
【特許文献４】特開２００７―８２６０３公報
【発明の概要】
【発明が解決しようとする課題】
【０００５】
特許文献１〜４は、比較的に軟質で直径の大きなストラップの連結用に用いるものである。本発明者らは、ワイヤのような細い金属線をストラップ代わりに用いることを発案した。このようなワイヤを用いれば、添付図面の図１に示すように、多数の数珠玉をつなぐ装飾品とすることができて、新しい需要を喚起することができると思われるからである。
【０００６】
その際、問題となるのは、そのような細いワイヤをどのようにして前述の形式の連結具と接続するかということである。本発明は、それに対する１つの回答である。
【課題を解決するための手段】
【０００７】
本発明は、ワイヤ２，２Ｂと、このワイヤ２，２Ｂの一端２１，２１Ｂに設けた雌部材３，３Ｂと、前記ワイヤ２，２Ｂの他端２２，２２Ｂに設けた雄部材４，４Ｂと、を有するワイヤ端部の連結具であって、
前記雌部材３，３Ｂは、貫通部７１，７１Ｂを備えた弾性体７，７Ｂを有し、
前記雄部材４，４Ｂは、前記貫通部７１，７１Ｂに係合する膨出部４４，４４Ｂを有し、
前記ワイヤ両端部２１，２２；２１Ｂ，２２Ｂに断面楕円状の金属製チューブ６，６Ａ；６Ｂ，６Ｃが移動不能に固着されており、
前記金属製チューブ６，６Ａ；６Ｂ，６Ｃが固着された前記ワイヤ両末端２１，２２；２１Ｂ，２２Ｂが前記雌部材３，３Ｂ及び雄部材４，４Ｂにそれぞれ収容されている
ことを特徴とする。
【０００８】
好ましくは、前記雌部材３の前記弾性体７が、はめ込み式の中栓９と前記雌部材３先端のフランジ３８の間に挟まれて、支持されている。
【０００９】
前記ワイヤ２，２Ｂに多数の数珠１１，１１Ｂをはめて装飾品とすることができる。
【００１０】
本発明はまた、ワイヤ２，２Ｂと、ワイヤ２，２Ｂの一端２１，２１Ｂに設けた雌部材３，３Ｂと、前記ワイヤ２，２Ｂの他端２２，２２Ｂに設けた雄部材４，４Ｂと、を有するワイヤ端部の連結具の製造方法であって、この方法は、
前記雌部材３，３Ｂに、貫通部７１，７１Ｂを備えた弾性体７，７Ｂを設ける工程と、
前記雄部材４，４Ｂに、前記貫通部７１，７１Ｂに係合する膨出部４４，４４Ｂを設ける工程と、
前記ワイヤ両端部２１，２２；２１Ｂ，２２Ｂに断面楕円状の金属製チューブ６，６Ａ；６Ｂ，６Ｃを移動不能に固定する工程と、
前記金属製チューブ６，６Ａ；６Ｂ，６Ｃを有する前記ワイヤ両末端２１，２２；２１Ｂ，２２Ｂを前記雌部材３，３Ｂ及び雄部材４，４Ｂにそれぞれ収容する工程と、
を有することを特徴とする。
【００１１】
前記雌部材３に前記弾性体７を設ける工程において、前記雌部材３の最先端にフランジ３8を形成することにより、弾性体７の抜け留めが行われるようにすることができる。
【００１２】
別法として、前記雌部材３Ｂに前記弾性体７Ｂを設ける工程において、前記雌部材３Ｂの最先端の薄壁３６Ｂをならして平面化することにより、弾性体７Ｂの抜け留めを形成することもできる。
【発明の効果】
【００１３】
本発明の連結具によれば、ワイヤの両端部に断面楕円状の金属製チューブが移動不能に固着されている。この金属製チューブを有する前記ワイヤ両末端を前記雌部材及び雄部材にそれぞれ収容することができるので、ワイヤのように細い金属線でも連結具と接続することができる。
【００１４】
また、本発明の製造方法によれば、雌部材の最先端のフランジにより弾性体の抜け留めとするか、又は、雌部材の薄壁又は別の介在物をならして平面化することにより、弾性体の抜け留めを形成する。いずれにしても、美しい接合面を形成することができる。
【００１５】
以下、添付の図面に基づいて本発明の実施例を説明する。
【図面の簡単な説明】
【００１６】
【図１】本発明の実施例１に係る、ワイヤ端部の連結具の斜視図であり、多数の数珠玉をつないで装飾品としている。
【図２】（ａ）〜（ｄ）は、ワイヤ端部の連結具の雌部材の形成方法を示す断面図である。
【図３】雌部材の展開断面図である。
【図４】（ａ）〜（ｄ）は、ワイヤ端部の連結具の雄部材の形成方法を示す断面図である。
【図５】連結具の雌雄部材の連結方法を示す断面図であり、（ａ）は連結前、（ｂ）は連結後を示す。
【図６】本発明の実施例２に係る、ワイヤ端部の連結具の斜視図であり、多数の数珠玉をつないで装飾品としている。
【図７】（ａ）〜（ｅ）は、ワイヤ端部の連結具の雌部材の形成方法を示す断面図である。
【図８】（ａ）〜（ｅ）は、ワイヤ端部の連結具の雄部材の形成方法を示す断面図である。
【図９】連結具の雌雄部材の連結方法を示す断面図であり、（ａ）は連結前、（ｂ）は連結後を示す。
【実施例１】
【００１７】
図１は、数珠玉１１を多数並べてつないだ装飾品のネックレス１である。数珠玉１１を貫通しているのは細いワイヤ２である。そのワイヤ２の一端２１（図２）には、貫通部７１を備えた弾性素材（ゴム）７を有する雌部材３がある。ワイヤの他端２２（図４）には、膨出部４４を有する雄部材４がある。
【００１８】
ワイヤ２は合成樹脂の皮膜（図示せず）によりコーティングしておくことが好ましい。コーティング素材としては、アラミド繊維（東レ・デュポン社のケプラー（登録商標））、高強力ポリアリレート繊維（クラレ社のベクトラン（登録商標））、エステル系・ナイロン系、又は、ウレタン系の樹脂が挙げられる。このようなコーティングを施すことにより、紫外線に対する保護となるほか、曲げに弱い、耐摩耗性が低いという欠点を解決することができる。
【００１９】
＜雌部材３＞
図２は雌部材３を示している。図２（ａ）〜（ｄ）の製造過程を追いながら、その構造を説明する。
【００２０】
まず（ａ）及び（ｂ）に示すように、ワイヤ２の端部２１に金属製の詰め栓５と金属製のチューブ６をはめる。チューブ６を外部から矢印の方向に押しつぶすようにして断面を楕円状として、チューブ６をワイヤ端部２１に対して固着する。詰め栓５は、先端円筒部５１と後端蓋５２を有し、中間で段部５３を形成している。先端円筒部５１は係合部５４を有する。後端蓋５２はワイヤ通過用の貫通孔５５を有する。
【００２１】
続いて、（ｃ）に示すように、詰め栓５をチューブ６の位置まで下げ、（ｄ）に示すように、この一体物を雌部材本体３１と一体化させる。このとき、段部５３と雌部材本体３１の先端は接触して、段差がなくなる。
【００２２】
雌部材本体３１は、円筒状であり、係合側先端が内方に曲げられていてフランジ３８となっているとともに、中間２か所で係合部３４及び３５を有する。
【００２３】
最初に、貫通部７１を備えた弾性素材７が係合側先端に押し込められる。フランジ３８が抜け留めとなってゴム７は円筒から飛び出すことはない。
【００２４】
続いて、中栓９がワイヤ側から押し込められる。中栓9は、図３に示すように、断面が鼓（つづみ）状で、中央部において係合側窪み９１及びワイヤ側窪み９２を有する。係合側窪み９１には雄部材４の膨出部４４を受け入れる窪み延長部９３が続いている。さらに、上下方向の中央部には係合部９４が設けられている。この係合部９４と雌部材本体３１の係合部３４がかみ合って中栓９の位置が固定される。
【００２５】
最後に、雌部材本体３１のワイヤ側の空きスペースである収容室３３に詰め栓５がはめ込まれる。詰め栓５の係合部５４と雌部材本体３１の係合部３５がかみ合って詰め栓５の位置が固定される。
【００２６】
＜雄部材４＞
図４は雄部材４を示している。図４（ａ）〜（ｄ）に基づいて、その構造を説明する。
【００２７】
（ｃ）及び（ｄ）に示すように、雄部材４は雄部材本体４１と詰め栓５Ａからなる。
【００２８】
雄部材本体４１は、ベース４３と、そのベース４３から突出する係合用の膨出部４４と首部４５を有する。ベース４３の後端側は詰め栓５Ａとの接合部となっている。
【００２９】
まず、図４（ａ）（ｂ）に示すように、ワイヤ端部２２に金属製の詰め栓５Ａと金属製のチューブ６Ａをはめる。チューブ６Ａを外部から押しつぶすようにして断面を楕円状として、チューブ６Ａをワイヤ端部２２に対して固定する。続いて、（ｃ）に示すように、詰め栓５Ａをチューブ６Ａの位置まで上げる。
【００３０】
以上の説明から明らかなように、（ａ）（ｂ）に示す詰め栓５Ａは、雌部材３に関して、図２（ａ）（ｂ）で説明した詰め栓５と同じ要領により作成されている。
【００３１】
この詰め栓５Ａは、（ｄ）に示すように、雄部材本体４１の収容室４８に圧入される。このとき、収容室４８側の係合部４０と詰め栓側の係合部５４Ａの係合により、その結合位置が固定される。
【００３２】
＜雌雄部材の結合と分離＞
上記のようにして製造した雌部材３と雄部材４は、従来品と全く同じように使用することができる。すなわち、図５（ａ）（ｂ）に示すように、雄部材４の膨出部４４を雌部材３のゴム７貫通部７１に挿入して結合させる。分離させるときはその逆操作による。
【実施例２】
【００３３】
図７は、数珠玉１１Ｂを多数並べてつないだ装飾品のネックレス１Ｂである。数珠玉１１Ｂを貫通しているのは細いワイヤ２Ｂである。そのワイヤ２Ｂの一端２１Ｂ（図７）には、貫通部７１Ｂを備えた弾性素材（ゴム）７Ｂを有する雌部材３Ｂがある。ワイヤの他端２２Ｂ（図８）には、膨出部４４Ｂを有する雄部材４Ｂがある。
【００３４】
ワイヤ２Ｂは実施例１と同様に合成樹脂の皮膜（図示せず）によりコーティングしておくことが好ましい。
【００３５】
＜雌部材３Ｂ＞
図７は雌部材３Ｂを示している。図２（ａ）〜（ｅ）の製造過程を追いながら、その構造を説明する。
【００３６】
まず（ａ）及び（ｂ）に示すように、ワイヤ２Ｂの端部２１Ｂに金属製の詰め栓５Ｂと金属製のチューブ６Ｂをはめる。チューブ６Ｂを外部から矢印の方向に押しつぶすようにして断面を楕円状として、チューブ６Ｂをワイヤ端部２１Ｂに対して固着する。詰め栓５Ｂは、先端円筒部５１Ｂと後端蓋５２Ｂを有し、中間で段部５３Ｂを形成している。先端円筒部５１Ｂは係合部５４Ｂを有する。後端蓋５２Ｂはワイヤ通過用の貫通孔５５Ｂを有する。
【００３７】
続いて、（ｃ）に示すように、詰め栓５Ｂをチューブ６Ｂの位置まで下げ、（ｄ）に示すように、この一体物を雌部材本体３１Ｂと合体させる。このとき、段部５３Ｂと雌部材本体３１Ｂの先端は接触して、段差がなくなる。
【００３８】
雌部材本体３１Ｂは、係合側とワイヤ側にそれぞれ円筒状の収容室３２Ｂ，３３Ｂを有する。係合側の収容室３２Ｂは途中で段部３４Ｂを有する円筒である。詰め栓５Ｂはワイヤ側の収容室３３Ｂに圧入される。このとき、収容室３３Ｂ側の係合部３５Ｂと詰め栓５Ｂ側の係合部５４Ｂの係合により、その結合位置が固定される。
【００３９】
雌部材本体３１Ｂの係合側収容室３２Ｂには、貫通部７１Ｂを有するゴム７Ｂが挿入される。このゴム７Ｂは係合側収容室３２Ｂの下段円筒部に収容される。この状態でゴム７Ｂの位置を固定させるために、係合側収容室３２Ｂの先端部にあらかじめ設けられていた薄壁３６がローラ（図示せず）等によりならされて平面化される。そのようにすることにより、（ｅ）に示すように、薄壁３６であった部分は、平面化されるときに研磨され、美しい接合面を形成するとともに、ゴム７の抜け留めとなる。
【００４０】
＜雄部材４Ｂ＞
図３は雄部材４Ｂを示している。図３（ａ）〜（ｅ）の製造過程を追いながら、その構造を説明する。
【００４１】
まず（ａ）及び（ｂ）に示すように、雄部材４Ｂは雄部材本体４１Ｂとその支持体４２Ｂからなる。
【００４２】
雄部材本体４１Ｂは、ベース４３Ｂと、そのベース４３Ｂから突出する係合用の膨出部４４Ｂと首部４５Ｂを有する。ベース４３Ｂの後端側は支持体４２Ｂとの接合部となっている。支持体４２Ｂは円筒体である。
【００４３】
両者はベース４３Ｂの接合部を支持体４２Ｂに圧入することにより一体化される。このとき、支持体４２Ｂ側の係合部４６Ｂとベース接合部側の係合部４７Ｂの係合により、その結合位置が固定される。
【００４４】
（ｃ）に示すように、ワイヤ端部２２Ｂに金属製の詰め栓５Ｃと金属製のチューブ６Ｃをはめる。チューブ６Ｃを外部から押しつぶすようにして断面を楕円状として、チューブ６Ｃをワイヤ端部２２Ｂに対して固定する。続いて、（ｄ）に示すように、詰め栓５Ｃをチューブ６Ｃの位置まで上げる。
【００４５】
以上の説明から明らかなように、（ｃ）（ｄ）に示す一体物は、雌部材３に関して、図２（ａ）（ｂ）で説明したのと同じ要領により作成されている。
【００４６】
（ｅ）に示すように、この一体物は、雄部材本体４１Ｂの支持体４２Ｂ内の収容室４８Ｂに圧入される。このとき、支持体４２Ｂ側の係合部４０Ｂと詰め栓側の係合部４９Ｂの係合により、その結合位置が固定される。
【００４７】
＜雌雄部材の結合と分離＞
上記のようにして製造した雌部材３Ｂと雄部材４Ｂは、従来品と全く同じように使用することができる。すなわち、図４（ａ）（ｂ）に示すように、雄部材４Ｂの膨出部４４Ｂを雌部材３Ｂのゴム７Ｂの貫通部７１Ｂに挿入して結合させる。分離させるときはその逆操作による。
【符号の説明】
【００４８】
１，１Ｂ      ネックレス
１１，１１Ｂ    数珠玉
２，２Ｂ      ワイヤ
２１，２１Ｂ  ワイヤ端部
２２，２２Ｂ  ワイヤ端部
３，３Ａ；３Ｂ，３Ｃ 雌部材
３１，３１Ｂ  雌部材本体
３２，３２Ｂ    係合側収容室
３３，３３Ｂ    ワイヤ側収容室
３４，３４Ｂ    係合部
３５，３５Ｂ    小突起
３６Ｂ        薄壁
３７Ｂ        係合部
３８    フランジ
４，４Ｂ      雄部材
４０，４０Ｂ         係合部
４１，４１Ｂ  雄部材本体
４２Ｂ        支持体
４３，４３Ｂ  ベース
４４，４４Ｂ  膨出部
４５，４５Ｂ  首部
４６，４６Ｂ  係合部
４８，４８Ｂ    収容室
４９，４９Ｂ  係合部
５，５Ａ；５Ｂ，５Ｃ 詰め栓
５１，５１Ｂ  先端円筒部
５２，５２Ｂ  後端蓋
５３，５３Ｂ  段部
５４，５４Ｂ  係合部
５５  貫通孔
６，６Ａ；６Ｂ，６Ｃ チューブ
７，７Ｂ      弾性体（ゴム）
７１，７１Ｂ    貫通部
【図１】
2018057718.tif 000003
【図２】
2018057718.tif 000004
【図３】
2018057718.tif 000005
【図４】
2018057718.tif 000006
【図５】
2018057718.tif 000007
【図６】
2018057718.tif 000008
【図７】
2018057718.tif 000009
【図８】
2018057718.tif 000010
【図９】
2018057718.tif 000011